(57)【要約】【課題】ＡＦ補助光を照射する場合に、ＡＦ補助光の消費電力を低減する。【解決手段】デジタルカメラ１は、被写体を撮影することにより画像を取得する撮像系１０およびＡＦ処理部２９を備える。ＡＦ処理時に補助光照射部３８が被写体に向けて補助光を照射する。顔検出部３７が撮像系１０が取得した画像から人物の顔を検出すると、距離算出部３９が顔の大きさに基づいてデジタルカメラ１から被写体までの距離を算出する。プリズム駆動部５５が、距離に応じて、被写体の方向を向くように補助光の照射方向を変更する。照射方向の変更後に補助光が点灯される。【選択図】図１
2009069442.tif 000002
【特許請求の範囲】
【請求項１】
被写体を撮影することにより画像を取得する撮像手段と、
撮影時に前記被写体の焦点検出を行う焦点検出手段と、
前記焦点検出を補助するための補助光を前記被写体に照射する補助光照射手段と、
前記画像から人物の顔を検出する顔検出手段と、
前記顔が検出された場合に、該顔の大きさに基づいて前記撮像手段から前記被写体までの距離を算出する距離算出手段と、
前記距離に応じて、前記被写体の方向を向くように前記補助光の照射方向を変更する変更手段とを備え、
前記補助光照射手段は、前記補助光の照射方向の変更後に前記補助光を点灯する手段であることを特徴とする撮影装置。
【請求項２】
前記撮像手段がズーム動作可能である場合、
前記補助光照射手段が補助光ズーム手段を備え、
前記撮像手段のズーム動作に連動して前記補助光ズーム手段を駆動するズーム駆動手段をさらに備えたことを特徴とする請求項１記載の撮影装置。
【請求項３】
被写体を撮影することにより画像を取得する撮像手段と、
撮影時に前記被写体の焦点検出を行う焦点検出手段と、
前記焦点検出を補助するための補助光を前記被写体に照射する補助光照射手段とを備えた撮影装置の制御方法であって、
前記画像から人物の顔を検出し、
前記顔が検出された場合に、該顔の大きさに基づいて前記撮像手段から前記被写体までの距離を算出し、
前記距離に応じて、前記被写体の方向を向くように前記補助光の照射方向を変更し、
前記補助光の照射方向の変更後に前記補助光を点灯することを特徴とする撮影装置の制御方法。
【請求項４】
被写体を撮影することにより画像を取得する撮像手段と、
撮影時に前記被写体の焦点検出を行う焦点検出手段と、
前記焦点検出を補助するための補助光を前記被写体に照射する補助光照射手段とを備えた撮影装置の制御方法をコンピュータに実行させるためのプログラムであって、
前記画像から人物の顔を検出する手順と、
前記顔が検出された場合に、該顔の大きさに基づいて前記撮像手段から前記被写体までの距離を算出する手順と、
前記距離に応じて、前記被写体の方向を向くように前記補助光の照射方向を変更する手順と、
前記補助光の照射方向の変更後に前記補助光を点灯する手順とを有することを特徴とするプログラム。
【発明の詳細な説明】
【技術分野】
【０００１】
本発明は、補助光を照射して被写体の焦点検出を自動で行う撮影装置および撮影装置の制御方法並びに撮影装置の制御方法をコンピュータに実行させるためのプログラムに関するものである。
【背景技術】
【０００２】
従来より撮影の際にＡＦ処理により自動で焦点検出を行うカメラが提案されている。このようなカメラにおいて、被写体輝度が低い場合にはＡＦ処理を正確に行うことができないため、カメラにＬＥＤ等のＡＦ補助光源を設け、この補助光源からＡＦ補助光を被写体に向けて照射することが行われている。また、このようなＡＦ補助光の光量不足を補うために、フラッシュを併せて使用する手法が提案されている（特許文献１参照）。また、スリット等を用いて線状あるいは格子状のパターンのＡＦ補助光を照射することも行われている。
【０００３】
また、フラッシュを発光する際に、目等の人物の特徴部位を検出した場合、赤目とならないように赤目発光を行う手法が提案されている（特許文献２参照）。また、小さな子供を撮影する場合には、フラッシュを発光しないようにする手法も提案されている（特許文献３参照）。また、人物の認証を行う際に、カメラから被写体までの距離に応じて発光光の光量を制御する手法も提案されている（特許文献４参照）。
【特許文献１】特開２００１−２７７２４号公報
【特許文献２】特開２００４−３２０２８４号公報
【特許文献３】特開２００６−４１６７３号公報
【特許文献４】特開２００５−３２３１８０号公報
【発明の開示】
【発明が解決しようとする課題】
【０００４】
ところで、ＡＦ補助光はＡＦ処理が完了するまでの比較的長い時間発光されることから、消費電力が大きい。このため、ＡＦ補助光を使用することによりバッテリの持続時間が短縮されてしまい、その結果、カメラにおける撮影枚数が少なくなってしまうという問題がある。
【０００５】
本発明は上記事情に鑑みなされたものであり、ＡＦ補助光の消費電力を低減することを目的とする。
【課題を解決するための手段】
【０００６】
本発明による撮影装置は、被写体を撮影することにより画像を取得する撮像手段と、
撮影時に前記被写体の焦点検出を行う焦点検出手段と、
前記焦点検出を補助するための補助光を前記被写体に照射する補助光照射手段と、
前記画像から人物の顔を検出する顔検出手段と、
前記顔が検出された場合に、該顔の大きさに基づいて前記撮像手段から前記被写体までの距離を算出する距離算出手段と、
前記距離に応じて、前記被写体の方向を向くように前記補助光の照射方向を変更する変更手段とを備え、
前記補助光照射手段は、前記補助光の照射方向の変更後に前記補助光を点灯する手段であることを特徴とするものである。
【０００７】
なお、本発明による撮影装置においては、前記撮像手段がズーム動作可能である場合、
前記補助光照射手段を補助光ズーム手段を備えるものとし、
前記撮像手段のズーム動作に連動して前記補助光ズーム手段を駆動するズーム駆動手段をさらに備えるものとしてもよい。
【０００８】
本発明による撮影装置の制御方法は、被写体を撮影することにより画像を取得する撮像手段と、
撮影時に前記被写体の焦点検出を行う焦点検出手段と、
前記焦点検出を補助するための補助光を前記被写体に照射する補助光照射手段とを備えた撮影装置の制御方法であって、
前記画像から人物の顔を検出し、
前記顔が検出された場合に、該顔の大きさに基づいて前記撮像手段から前記被写体までの距離を算出し、
前記距離に応じて、前記被写体の方向を向くように前記補助光の照射方向を変更し、
前記補助光の照射方向の変更後に前記補助光を点灯することを特徴とするものである。
【０００９】
なお、本発明による撮影装置の制御方法をコンピュータに実行させるためのプログラムとして提供してもよい。
【発明の効果】
【００１０】
本発明によれば、撮像手段が撮影した画像から顔が検出された場合、顔の大きさに基づいて撮像手段から被写体までの距離が算出され、距離に応じて被写体の方向を向くように補助光の照射方向が変更される。そして、照射方向の変更後に補助光が点灯される。このため、補助光が点灯されたときには、補助光は被写体に向けて照射された状態にあることから、焦点検出手段は焦点検出のための処理を迅速に行うことができる。したがって、補助光の照射時間を短縮することができ、その結果、補助光の消費電力を低減することができる。また、消費電力を低減できるため、より多くの画像の撮影を行うことが可能となる。
【００１１】
また、撮像手段のズーム動作に連動して補助光をズームすることにより、焦点検出を行う被写体に向けてのみ補助光を照射することができるため、より効率よく補助光を照射できるとともに、焦点検出を行う被写体以外の被写体に補助光が照射されることを防止することができる。
【発明を実施するための最良の形態】
【００１２】
以下、図面を参照して本発明の実施形態について説明する。図１は本発明の実施形態による撮影装置を適用したデジタルカメラの内部構成を示す概略ブロック図である。図１に示すように本実施形態によるデジタルカメラ１は、レリーズボタン、十字キー、モードダイヤル、ズームレバーおよび各種操作キー等を含む操作系２を有する。
【００１３】
撮像系１０としては、撮影レンズを構成するフォーカスレンズ１２ａ、ズームレンズ１２ｂおよび最前面の焦点合わせ用レンズ１２ｃを有している。フォーカスレンズ１２ａおよびズームレンズ１２ｂは、モータとモータドライバとからなるフォーカスレンズ駆動部１３ａおよびズームレンズ駆動部１３ｂによって光軸方向に移動可能である。フォーカスレンズ駆動部１３ａはＡＦ処理部２９から出力されるフォーカス駆動量データに基づいて、ズームレンズ駆動部１３ｂはズームレバーの操作量データに基づいて、レンズの移動を制御する。
【００１４】
また、絞り１４は絞り駆動部１５によって駆動される。絞り駆動部１５は、ＡＥ処理部３０から出力される絞り値データに基づいて絞り径の調整を行う。
【００１５】
シャッタ１６はメカニカルシャッタであり、シャッタ駆動部１７によって駆動される。シャッタ駆動部１７は、レリーズボタンの押下により発生する信号と、ＡＥ処理部３０から出力されるシャッタスピードデータとに応じて、シャッタ１６の開閉の制御を行う。
【００１６】
シャッタ１６の後方には撮像素子であるＣＣＤ１８を有している。ＣＣＤ１８は、多数の受光素子を２次元的に配列した光電面を有しており、撮影レンズ１２等の光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ１８は、ＣＣＤ制御部１９から供給される垂直転送クロックおよび水平転送クロックに同期して、画素毎に蓄積された電荷を１ラインずつシリアルなアナログ撮影信号として出力する。各画素において電荷を蓄積する時間、すなわち、露光時間は、ＣＣＤ制御部１９から与えられる電子シャッタ駆動信号によって決定される。また、ＣＣＤ１８はＣＣＤ制御部１９により、あらかじめ定められた大きさのアナログ撮像信号が得られるようにゲインが調整されている。
【００１７】
ＣＣＤ１８から取り込まれたアナログ撮像信号は、アナログ信号処理部２０に入力される。アナログ信号処理部２０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００１８】
タイミングジェネレータ２１は、タイミング信号を発生させるものであり、このタイミング信号をシャッタ駆動部１７、ＣＣＤ制御部１９、およびアナログ信号処理部２０に供給することにより、レリーズボタンの操作、シャッタ１６の開閉、ＣＣＤ１８の電荷の取込み、およびアナログ信号処理部２０の処理の同期をとっている。
【００１９】
また、デジタルカメラ１は撮影時において必要なときに発光されるフラッシュ２３を有する。
【００２０】
画像入力コントローラ２４は、アナログ信号処理部２０から入力されたＣＣＤ−ＲＡＷデータをフレームメモリ２６に書き込む。
【００２１】
フレームメモリ２６は、画像データに対して後述の各種処理を行う際に使用する作業用メモリであり、例えば、一定周期のバスクロック信号に同期してデータ転送を行うＳＤＲＡＭ(Synchronous Dynamic Random Access Memory)が使用される。
【００２２】
表示制御部２７は、フレームメモリ２６に格納された画像データをスルー画像としてモニタ２８に表示させたり、再生モード時に記録メディア３５に保存されている本画像をモニタ２８に表示させたりするためのものである。なお、スルー画像は、デジタルカメラ１が撮影モードにある間、所定時間間隔で撮像系１０により撮影される。
【００２３】
ＡＦ処理部２９およびＡＥ処理部３０は、プレ画像に基づいて撮影条件を決定する。このプレ画像とは、レリーズボタンが半押しされることによって発生する半押し信号を検出したＣＰＵ４５が撮像系１０にプレ撮影を実行させた結果、フレームメモリ２６に格納された画像データにより表される画像である。なお、プレ撮影は必要に応じて複数回行われる。
【００２４】
ＡＦ処理部２９は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。
【００２５】
ＡＥ処理部３０は、プレ画像に基づいて被写体輝度を測定し、測定した被写体輝度に基づいて絞り値およびシャッタスピード等を決定し、絞り値データおよびシャッタスピードデータを露出設定値として決定する（ＡＥ処理）。
【００２６】
ＡＷＢ処理部３１は、撮影時のホワイトバランスを自動調整する（ＡＷＢ処理）。なお、ＡＷＢ処理部３１は、後述する本撮影前でも、本撮影後でもホワイトバランスの調整を行うことができる。
【００２７】
画像処理部３２は、本画像の各画素がＲＧＢそれぞれの値を有するように本画像の画像データを補間する補間処理、補間した画像データに対する階調補正、シャープネス補正および色補正等の画質補正処理、並びに輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ１８から取り込まれ、アナログ信号処理部２０および画像入力コントローラ２４経由でフレームメモリ２６に格納された画像データにより表される画像である。
【００２８】
圧縮／伸長処理部３３は、画像処理部３２によって処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。
【００２９】
メディア制御部３４は、不図示のメディアスロットルに着脱自在にセットされた記録メディア３５にアクセスして、画像ファイルの書き込みと読み込みの制御を行う。
【００３０】
内部メモリ３６は、デジタルカメラ１において設定される各種定数、各種情報およびＣＰＵ４５が実行するプログラム等を記憶する。
【００３１】
顔検出部３７は、撮像系１０が撮影により取得したスルー画像、プレ画像および本画像（本実施形態においてはスルー画像）に人物の顔が含まれるか否かを判定し、顔が含まれると判定した場合に、画像に含まれる顔領域をすべて検出する機能を有する。具体的には、顔検出部３７は、テンプレートマッチングによる手法や、顔の多数のサンプル画像を用いてマシンラーニング学習により得られた顔判別器を用いる手法等により、画像に顔が含まれるか否かを判定し、顔が含まれると判定した場合には、画像上における顔を囲む所定範囲の矩形領域を顔領域として検出し、顔領域の位置を表す情報を出力する。また、顔検出部３７は、検出した顔のサイズ（ＣＣＤ１８の撮像面上における頭頂部から顎の先までのサイズ）を検出する。なお、顔が複数検出された場合には、最も大きい顔および画像の最も中央にある画像等の代表顔について顔のサイズを検出する。なお、顔のサイズの単位は本実施形態においてはｍｍを用いる。また、顔検出部３７は、顔が含まれないと判定した場合には、その旨の情報を出力する。
【００３２】
補助光照射部３８は、ＡＦ処理部２９がＡＦ処理を行う際に、被写体に向けてＡＦ補助光を照射する。図２は補助光照射部３８の詳細な構成を示す図である。図２に示すように補助光照射部３８は、補助光源であるＬＥＤ５０、レンズ５１、ズームレンズ５２、ズームレンズを駆動するズームレンズ駆動部５３、可変プリズム５４、可変プリズム５４を駆動するプリズム駆動部５５およびＬＥＤ５０を点灯するための点灯制御部５６とを備える。なお、レンズ５１、ズームレンズ５２および可変プリズム５４が補助光照射部３８の光学系５７を構成する。また、ＬＥＤ５０から発せられた直後のＡＦ補助光の光軸Ｘ０は、撮像系１０の光軸と平行であるものとする。
【００３３】
ＬＥＤ５０は、ＡＦ処理部２９がＡＦ処理を行う際に、撮影環境が所定の明るさにない場合にＣＰＵ４５が点灯の指示を点灯制御部５６に対して行うことにより点灯される。なお、撮影環境が所定の明るさにあるか否かの判定は、ＡＥ処理部３０が算出した被写体輝度が所定の明るさにあるか否かを判定することによりＣＰＵ４５が行う。
【００３４】
レンズ５１はＬＥＤ５０から発せられたＡＦ補助光が適切な光束となるように補正するためのものである。
【００３５】
ズームレンズ駆動部５３は、ズームレバーの操作量データに基づいて、ズームレンズ駆動部１３ｂと同期してズームレンズ５２の光軸方向の移動を制御する。
【００３６】
可変プリズム５４は、２枚の板ガラスを特殊フイルムからなる蛇腹でつなぎ、内部に高屈折液体を充填してなるものであり、その頂角αを変更することによりＡＦ補助光の光軸Ｘ０の向きを変更することが可能なものである。可変プリズム５４の頂角αは、後述するデジタルカメラ１から被写体までの距離に応じて、モータとモータドライバとからなるプリズム駆動部５５が変更する。なお、可変プリズム５４に代えて光軸Ｘ０の向きを変更可能な光学素子を用いることも可能である。
【００３７】
距離算出部３９は、顔検出部３７が検出した顔のサイズに基づいて、デジタルカメラ１から被写体である顔までの距離を算出する。なお、本実施形態においてデジタルカメラ１から顔までの距離とは、撮影レンズの焦点合わせ用レンズ１２ｃのレンズ中心から顔の距離測定の基準となる基準面までの距離とする。図３は距離の算出を説明するための図である。なお、図３においては撮影レンズとして焦点合わせ用レンズ１２ｃのみを示している。
【００３８】
図３に示すように、焦点合わせ用レンズ１２ｃのレンズ中心Ｍ２から顔の距離測定の基準となる基準面Ｍ１までの距離をＬ１、焦点合わせ用レンズ１２ｃのレンズ中心Ｍ２からＣＣＤ１８の撮像面Ｍ３までの距離をＬ２、顔のサイズをＦ１、撮像面Ｍ３上の顔のサイズをＦ２とすると、距離Ｌ１は下記の式（１）により算出される。なお、顔のサイズは人によってそれほど大きく変化しないものであるため、本実施形態においてはＦ１の値として一定値（例えば２３５ｍｍ）を用いるものとする。
【００３９】
Ｌ１＝Ｆ１×Ｌ２／Ｆ２    （１）
なお、補助光照射部３８のプリズム駆動部５５は、距離算出部３９が算出した距離Ｌ１を用いて下記の式（２）により、余弦定理を用いて可変プリズム５４の頂角の角度αを算出する。
【００４０】
α＝９０−ｃｏｓ−１（Ｇ／√（Ｇ２＋（Ｌ１−Ｌ３）２）      （２）
ここで、Ｇは図４に示すようにデジタルカメラ１におけるＣＣＤ１８の光軸Ｘ１とＬＥＤ５０の光軸Ｘ０との間の距離、Ｌ３は補助光照射部３８のレンズ５１の中心と可変プリズム５４との間の距離である。なお、撮像系１０と補助光照射部３８とがデジタルカメラ１上において水平方向に離れて位置している場合には、可変プリズム５４はＡＦ補助光の光軸Ｘ０の向きを水平方向に変更する。また、撮像系１０と補助光照射部３８とがデジタルカメラ１上において垂直方向に離れて位置している場合には、可変プリズム５４はＡＦ補助光の光軸Ｘ０の向きを垂直方向に変更する。
【００４１】
なお、ズーム動作がなされた場合には、距離算出部３９はズーム倍率を考慮して距離Ｌ１を算出する。例えば、ズーム倍率がａ倍のときには、下記の式（３）により距離Ｌ１を算出する。
【００４２】
Ｌ１＝ａ×Ｆ１×Ｌ２／Ｆ２    （３）
ＣＰＵ４５は、操作系２およびＡＦ処理部２９等の各種処理部からの信号に応じてデジタルカメラ１の本体各部を制御する。とくに、ＡＦ処理の際に撮影環境が所定の明るさにない場合、ＬＥＤ５０を点灯するよう点灯制御部５６に対して指示を行う。また、スルー画像から顔を検出する指示を顔検出部３７に行う。また、撮影者がズーム操作を行った場合には、撮像系１０のズームレンズ１２ａと、補助光照射部３８のズームレンズ５２とを同期して駆動するよう、ズームレンズ駆動部１３ｂ，５３に対して指示を行う。
【００４３】
データバス４６は、各種処理部、フレームメモリ２６およびＣＰＵ４５等に接続されており、画像データおよび各種情報のやり取りを行う。
【００４４】
次いで、本実施形態において行われる処理について説明する。図５，６は本実施形態において行われる処理を示すフローチャートである。ユーザが撮影のためにデジタルカメラ１の電源をオンとすることによりＣＰＵ４５が処理を開始し、撮像系１０にスルー画像を取得させ（ステップＳＴ１）、次いで、ズーム操作が行われたか否かを判定する（ステップＳＴ２）。ステップＳＴ２が否定されると後述するステップＳＴ５に進む。
【００４５】
ステップＳＴ２が肯定されると、ＣＰＵ４５からの指示により、ズームレンズ駆動部１３ｂ，５３が、撮像系１０のズームレンズ１２ａと、補助光照射部３８のズームレンズ５２とを同期して駆動する（ステップＳＴ３）。次いで、ズーム操作が終了したか否かを判定し（ステップＳＴ４）、ステップＳＴ４が否定されるとステップＳＴ３に戻る。
【００４６】
ステップＳＴ４が肯定されると、ＡＥ処理部３０が被写体輝度を算出する（ステップＳＴ５）。そしてＣＰＵ４５が被写体輝度に基づいて、撮影環境が所定の明るさにあるか否かを判定する（ステップＳＴ６）。ステップＳＴ６が肯定されると後述するステップＳＴ１４の処理に進む。
【００４７】
ステップＳＴ６が否定されると、顔検出部３７がスルー画像に顔が含まれるか否かを判定し（ステップＳＴ７）、ステップＳＴ７が肯定されると、さらに顔検出部３７が顔のサイズを検出する（ステップＳＴ８）。そして、距離算出部３９が顔のサイズに基づいてデジタルカメラ１から被写体である顔までの距離Ｌ１を算出する（ステップＳＴ９）。さらに、補助光照射部３８のプリズム駆動部５５が、距離Ｌ１に基づいて可変プリズム５４の頂角の角度αを算出し、可変プリズム５４の頂角の角度αを算出された値に設定する（ステップＳＴ１０）。なお、ステップＳＴ７が否定されると、プリズム駆動部５５は可変プリズム５４の頂角の角度αを０に設定する（ステップＳＴ１１）。
【００４８】
ステップＳＴ１０，１１に続いて、ＣＰＵ４５がレリーズボタンが半押しされたか否かの監視を開始し（ステップＳＴ１２）、ステップＳＴ１２が肯定されるとＣＰＵ４５からの指示により点灯制御部５６がＬＥＤ５０を点灯する（ステップＳＴ１３）。これにより、ＡＦ補助光が被写体に向けて照射される。なお、顔が検出された場合には、ＡＦ補助光は可変プリズム５４により顔に向けてその光軸Ｘ０の向きが変更されることとなる。
【００４９】
続いて、ＡＦ処理部２９がＡＦ処理を行い（ステップＳＴ１４）、さらにＣＰＵ４５がレリーズボタンが全押しされたか否かの監視を開始する（ステップＳＴ１５）。ステップＳＴ１５が肯定されると本撮影を行い（ステップＳＴ１６）、撮影により取得された画像を記録メディア３５に記録し（ステップＳＴ１７）、処理を終了する。なお、ＡＦ処理が終了するとＡＦ補助光は消灯される。
【００５０】
このように、本実施形態においては、デジタルカメラ１から被写体である顔までの距離Ｌ１に応じて、顔の方向を向くようにＡＦ補助光の照射方向を変更するようにしたため、ＡＦ補助光が点灯されたときには、ＡＦ補助光は被写体に向けて照射された状態にあることとなる。このため、ＡＦ処理部３０は、ＡＦ処理を迅速に行うことができ、これにより、ＡＦ補助光の照射時間を短縮することができ、その結果、ＡＦ補助光の消費電力を低減することができる。また、消費電力を低減できるため、より多くの画像の撮影を行うことが可能となる。
【００５１】
また、撮像系１０のズーム動作に連動してＡＦ補助光をズームすることにより、焦点検出を行う被写体に向けてのみＡＦ補助光を照射することができるため、より効率よくＡＦ補助光を照射できるとともに、焦点検出を行う被写体以外の被写体へＡＦ補助光が照射されることを防止することができる。
【００５２】
なお、上記実施形態においては、例えば、図７に示すように３本のスリット６１Ａ〜６１Ｃが形成されたパターン部材６１を用いてＡＦ補助光を直線状のパターンとして被写体に照射するようにしてもよい。この場合、被写体に対してＡＦ補助光が上下方向に延在して照射されるようにパターン部材６１にスリットを形成しているが、被写体に対してＡＦ補助光が左右方向に延在して照射されるようにパターン部材６１にスリットを形成してもよい。また、スリットの形状は直線状に限定されるものではなく、任意の形状とすることができるものである。
【００５３】
以上、本発明の実施形態に係るデジタルカメラについて説明したが、コンピュータに図５，６に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００５４】
【図１】本発明の実施形態による撮影装置を適用したデジタルカメラの内部構成を示す概略ブロック図
【図２】補助光照射部の詳細な構成を示す図
【図３】距離の算出を説明するための図
【図４】ＣＣＤとＬＥＤとの位置関係を説明するための図
【図５】本実施形態において行われる処理を示すフローチャート（その１）
【図６】本実施形態において行われる処理を示すフローチャート（その２）
【図７】パターン部材の構成を示す図
【符号の説明】
【００５５】
１    デジタルカメラ
１０    撮像系
２９    ＡＦ処理部
３７    顔検出部
３８    補助光照射部
３９    距離算出部
５０    ＬＥＤ
５１    レンズ
５２    ズームレンズ
５４    可変プリズム
５５    プリズム駆動部
【図１】
2009069442.tif 000003
【図２】
2009069442.tif 000004
【図３】
2009069442.tif 000005
【図４】
2009069442.tif 000006
【図５】
2009069442.tif 000007
【図６】
2009069442.tif 000008
【図７】
2009069442.tif 000009